(57)【要約】【課題】  ネットワークにおいて一対のノード間が複数のリンクで接続される場合、余計な処理や手間をかけることなく、リンクの数を一目で把握することを可能とする。【解決手段】  ネットワーク管理装置は、個別リンクを介して互いに接続される複数のノードを含むネットワークについて、ノードと個別リンクとの対応関係を定義するネットワーク情報を管理するネットワーク情報管理手段と、ネットワーク情報に基づいて、ネットワーク構成を視覚的に表すネットワーク模式図を表示手段に表示し、所定のノード間に複数の個別リンクが存在する場合、ネットワーク模式図上において、複数の個別リンクを１本の集約リンクとして表すとともに、集約リンクを複数の個別リンクの数が識別可能な表示形態にて表示する表示制御手段と、を備える。【選択図】  図１
2014230025.tif 000002
【特許請求の範囲】
【請求項１】
個別リンクを介して互いに接続される複数のノードを含むネットワークについて、前記ノードと前記個別リンクとの対応関係を定義するネットワーク情報を管理するネットワーク情報管理手段と、
前記ネットワーク情報に基づいて、前記ネットワーク構成を視覚的に表すネットワーク模式図を表示手段に表示し、所定の前記ノード間に複数の前記個別リンクが存在する場合、前記ネットワーク模式図上において、複数の前記個別リンクを１本の集約リンクとして表すとともに、前記集約リンクを複数の前記個別リンクの数が識別可能な表示形態にて表示する表示制御手段と、
を備えることを特徴とするネットワーク管理装置。
【請求項２】
前記表示形態は、前記集約リンクに、複数の前記個別リンクの数が併記される表示形態であることを特徴とする請求項１記載のネットワーク管理装置。
【請求項３】
前記表示制御手段は、前記集約リンクを、前記集約リンクを構成する前記個別リンクにて発生している障害の中で最も深刻な障害を識別可能な表示形態にて表示することを特徴とする請求項１または２記載のネットワーク管理装置。
【請求項４】
個別リンクを介して互いに接続される複数のノードを含むネットワークと、
前記ノードと前記個別リンクとの対応関係を定義するネットワーク情報を管理するネットワーク情報管理手段と、前記ネットワーク情報に基づいて、前記ネットワーク構成を視覚的に表すネットワーク模式図を表示手段に表示し、所定の前記ノード間に複数の前記個別リンクが存在する場合、前記ネットワーク模式図上において、複数の前記個別リンクを１本の集約リンクとして表すとともに、前記集約リンクを複数の前記個別リンクの数が識別可能な表示形態にて表示する表示制御手段と、を備えるネットワーク管理装置と、
を備えることを特徴とするネットワークシステム。
【請求項５】
個別リンクを介して互いに接続される複数のノードを含むネットワークについて、前記ノードと前記個別リンクとの対応関係を定義するネットワーク情報を管理し、
前記ネットワーク情報に基づいて、前記ネットワーク構成を視覚的に表すネットワーク模式図を表示手段に表示し、所定の前記ノード間に複数の前記個別リンクが存在する場合、前記ネットワーク模式図上において、複数の前記個別リンクを１本の集約リンクとして表すとともに、前記集約リンクを複数の前記個別リンクの数が識別可能な表示形態にて表示する
ことを特徴とするネットワーク管理方法。
【請求項６】
個別リンクを介して互いに接続される複数のノードを含むネットワークについて、前記ノードと前記個別リンクとの対応関係を定義するネットワーク情報を管理する第１処理と、
前記ネットワーク情報に基づいて、前記ネットワーク構成を視覚的に表すネットワーク模式図を表示手段に表示し、所定の前記ノード間に複数の前記個別リンクが存在する場合、前記ネットワーク模式図上において、複数の前記個別リンクを１本の集約リンクとして表すとともに、前記集約リンクを複数の前記個別リンクの数が識別可能な表示形態にて表示する第２処理と、
をネットワークを管理する装置のコンピュータに実行させるためのネットワーク管理プログラム。
【発明の詳細な説明】
【技術分野】
【０００１】
本発明は、リンクを介して互いに接続される複数のノードを含むネットワークを管理するネットワーク管理装置、ネットワークシステム、ネットワーク管理方法、およびネットワーク管理プログラムに関する。
【背景技術】
【０００２】
リンクを介して互いに接続される複数のノードを含むネットワークを管理するネットワーク管理装置が知られている。ネットワーク管理装置は、ネットワーク構成（ノードとリンクとの対応関係）を視覚的に表すネットワーク模式図を表示手段に表示する機能を有している。図１０は、一般的なネットワーク模式図を示す。ネットワーク模式図を参照することにより、ユーザ（たとえば、ネットワーク管理者）はネットワークの運用状態を把握することができる。
【０００３】
特許文献１には、伝送路に対応する伝送路アイコンを、障害の程度に応じた色で表示する技術についての記載がある。
【０００４】
特許文献２には、障害がある伝送路の表示色を他と異なる色とする技術についての記載がある。
【先行技術文献】
【特許文献】
【０００５】
【特許文献１】再特ＷＯ０１／０６１９２９号（ページＮｏ．２８、図３）
【特許文献２】特開２００３−０３２２７１号公報（ページＮｏ．７、図１４）
【発明の概要】
【発明が解決しようとする課題】
【０００６】
ネットワークにおいて、一対のノード間が複数のリンクで接続されることがある。ここで、複数のリンクは、たとえば、無線リンク、有線リンク、特殊リンク等である。このような場合、図１０に示すように、たとえば、各リンクを折れ線で表示するなどしてリンク同士が重ならないような工夫がなされている。しかしながら、リンクが多数（たとえば数十本）となる場合のネットワーク模式図は、多くの線が交錯した非常に複雑なものとなってしまう。このようなネットワーク模式図では、リンクの数や障害発生リンクを一目で把握することは困難である。さらに、互いが重複しないような折れ線を描画するための余計な処理（たとえば、コンピュータによる自動計算）または手間（ユーザによる手作業）が必要であった。
【０００７】
特許文献１や特許文献２に記載された技術を採用することにより、障害発生リンクを比較的早期に把握することができるようになる。しかしながら、上述したような一対のノード間が多数のリンクで接続されるネットワークの場合、単に障害発生リンクの色を強調させるだけでは、障害発生リンクがどのノード間のリンクであるかまでは一目で把握することはできない。そもそも、特許文献１や特許文献２の技術では、障害発生とは無関係に、ノード間に何本のリンクが張られているのかを一目で把握することはできない。
【０００８】
本発明は上記課題を解決するためになされたものであり、ネットワークにおいて一対のノード間が複数のリンクで接続される場合、余計な処理や手間をかけることなく、リンクの数を一目で把握することが可能な、ネットワーク管理装置、ネットワークシステム、ネットワーク管理方法、およびネットワーク管理プログラムを提供することを目的とする。
【課題を解決するための手段】
【０００９】
本発明のネットワーク管理装置は、個別リンクを介して互いに接続される複数のノードを含むネットワークについて、前記ノードと前記個別リンクとの対応関係を定義するネットワーク情報を管理するネットワーク情報管理手段と、前記ネットワーク情報に基づいて、前記ネットワーク構成を視覚的に表すネットワーク模式図を表示手段に表示し、所定の前記ノード間に複数の前記個別リンクが存在する場合、前記ネットワーク模式図上において、複数の前記個別リンクを１本の集約リンクとして表すとともに、前記集約リンクを複数の前記個別リンクの数が識別可能な表示形態にて表示する表示制御手段と、を備える。
【００１０】
本発明のネットワークシステムは、個別リンクを介して互いに接続される複数のノードを含むネットワークと、前記ノードと前記個別リンクとの対応関係を定義するネットワーク情報を管理するネットワーク情報管理手段と、前記ネットワーク情報に基づいて、前記ネットワーク構成を視覚的に表すネットワーク模式図を表示手段に表示し、所定の前記ノード間に複数の前記個別リンクが存在する場合、前記ネットワーク模式図上において、複数の前記個別リンクを１本の集約リンクとして表すとともに、前記集約リンクを複数の前記個別リンクの数が識別可能な表示形態にて表示する表示制御手段と、を備えるネットワーク管理装置と、を備える。
【００１１】
本発明のネットワーク管理方法は、個別リンクを介して互いに接続される複数のノードを含むネットワークについて、前記ノードと前記個別リンクとの対応関係を定義するネットワーク情報を管理し、前記ネットワーク情報に基づいて、前記ネットワーク構成を視覚的に表すネットワーク模式図を表示手段に表示し、所定の前記ノード間に複数の前記個別リンクが存在する場合、前記ネットワーク模式図上において、複数の前記個別リンクを１本の集約リンクとして表すとともに、前記集約リンクを複数の前記個別リンクの数が識別可能な表示形態にて表示することを特徴とする。
【００１２】
本発明のネットワーク管理プログラムは、個別リンクを介して互いに接続される複数のノードを含むネットワークについて、前記ノードと前記個別リンクとの対応関係を定義するネットワーク情報を管理する第１処理と、前記ネットワーク情報に基づいて、前記ネットワーク構成を視覚的に表すネットワーク模式図を表示手段に表示し、所定の前記ノード間に複数の前記個別リンクが存在する場合、前記ネットワーク模式図上において、複数の前記個別リンクを１本の集約リンクとして表すとともに、前記集約リンクを複数の前記個別リンクの数が識別可能な表示形態にて表示する第２処理を、ネットワークを管理する装置のコンピュータに実行させるためのプログラムである。
【発明の効果】
【００１３】
本発明によれば、ネットワークにおいて一対のノード間が複数のリンクで接続される場合、余計な処理や手間をかけることなく、リンクの数を一目で把握することが可能となる。
【図面の簡単な説明】
【００１４】
【図１】本発明の第１の実施形態に係るネットワークシステムの構成例を示すブロック図である。
【図２】図１に示すネットワーク情報管理部において管理されるネットワーク情報の構造例を示す表である。
【図３】第１の実施形態におけるネットワーク模式図の一例である。
【図４】第１の実施形態のネットワーク管理装置の動作例を説明するためのフローチャートである。
【図５】第２の実施形態におけるネットワーク模式図の一例である。
【図６】第２の実施形態におけるネットワーク情報の構造例を示す表である。
【図７】第２の実施形態において利用される、障害深刻度定義テーブルの例である。
【図８】本発明の第３の実施形態に係るネットワーク管理装置の構成例を示すブロック図である。
【図９】ネットワーク管理プログラムの構成例を示すブロック図である。
【図１０】一般的なネットワーク模式図を示す。
【発明を実施するための形態】
【００１５】
［第１の実施形態］
図１は、本発明の第１の実施形態のネットワークシステム１０の構成例を示すブロック図である。
【００１６】
ネットワークシステム１０は、管理対象ネットワーク１２と、ネットワーク管理装置１４と、を備える。
【００１７】
管理対象ネットワーク１２は、複数のノードを含み、各ノードは、リンクを介して他のノードと適宜接続される。一対のノード間は、複数のリンクで接続される場合がある。ここで、複数のリンクは、たとえば、無線リンク、有線リンク、特殊リンク等である。なお、本実施形態において、管理対象ネットワーク１２は、図１０のネットワーク模式図で表されるネットワーク構成と同一である場合を例に挙げる。すなわち、管理対象ネットワーク１２は、ノードＡ、Ｂ、Ｃ、Ｄを含む。ノードＡとノードＢは、４本の個別リンクＡＢ１−ＡＢ４で接続される。ノードＣとノードＤは、３本の個別リンクＣＤ１−ＣＤ３で接続される。
【００１８】
ネットワーク管理装置１４は、表示部２０と、ネットワーク情報管理部２２（ネットワーク情報管理手段）と、表示制御部２４（表示制御手段）と、を備える。
【００１９】
ネットワーク情報管理部２２は、ノードとリンクの対応関係を定義するネットワーク情報を管理する。
【００２０】
図２は、ネットワーク情報３０Ａの構造例を示す表である。ネットワーク情報３０Ａにおいて、ノードペア毎の個別リンクが定義される。具体的には、本実施形態の場合、ノードＡＢ間に関しては個別リンクＡＢ１〜ＡＢ４が定義され、ノードＣＤ間に関しては、個別リンクＣＤ１−ＣＤ３が定義される。さらに、ネットワーク情報３０Ａにおいて、ノードＡＢ間の個別リンクＡＢ１−ＡＢ４は、１本の集約リンクＡＢとして定義され、ノードＣＤ間の個別リンクＣＤ１−ＣＤ３は、１本の集約リンクＣＤとして定義されている。
【００２１】
ネットワーク情報管理部２２は、自らの調査により、あるいは管理対象ネットワーク１２からの通知により、ネットワーク構成の変化（ノードまたはリンクの増減等）を常に監視し、ネットワーク情報３０Ａの内容を最新の状態に維持する。なお、ネットワーク情報３０Ａは、ネットワーク管理装置１４またはネットワーク情報管理部２２の記憶手段（図１において不図示）に記憶される。
【００２２】
表示制御部２４は、ネットワーク情報３０Ａに基づいて、管理対象ネットワーク１２の構成を視覚的に表すネットワーク模式図４０Ａを表示部２０に表示する。
【００２３】
図３は、ネットワーク模式図４０Ａの一例である。ネットワーク模式図４０Ａにおいて、所定のノード間に複数のリンクが存在する場合、これら複数のリンクは、１本の集約リンクとして表される。さらに、ネットワーク模式図４０Ａにおいて、集約リンクは、複数のリンクの数が識別可能な表示形態にて表示される。
【００２４】
具体的には、本実施形態におけるネットワーク模式図４０Ａにおいて、個別リンクＡＢ１−ＡＢ４は、１本の集約リンクＡＢで表され、個別リンクＣＤ１−ＣＤ３は、１本の集約リンクＣＤで表される。集約リンクＡＢの所定箇所には、個別リンクの数（４本）を示す数字情報“４”が併記される。集約リンクＣＤの所定箇所には、個別リンクの数（３本）を示す数字情報“３”が併記される。
【００２５】
図４は、第１の実施形態のネットワーク管理装置１４の動作例を説明するためのフローチャートである。
【００２６】
表示制御部２４は、ネットワーク情報３０Ａ（たとえば、図２参照）に基づいて、管理対象ネットワーク１２の構成を視覚的に表すネットワーク模式図４０Ａ（たとえば、図３参照）を表示部２０に表示する（ステップＳ１）。ネットワーク情報管理部２２は、ネットワーク構成の変化の有無を判断する（ステップＳ２）。ネットワーク構成に変化が無い場合（ステップＳ２においてＮｏ判定）、ステップＳ２の処理が繰り返し実行される。ネットワーク構成に変化がある場合（ステップＳ２においてＹｅｓ判定）、ネットワーク情報管理部２２は、ネットワーク情報３０Ａの内容を最新の構成に更新する（ステップＳ３）。その後、ステップＳ１以降の処理が再度実行される。
【００２７】
以上説明した第１の実施形態に係るネットワーク模式図４０Ａでは、管理対象ネットワーク１２において一対のノード間が複数のリンクで接続される場合に、それら複数のリンクは、１本の集約リンクとして表される。さらに、ネットワーク模式図４０Ａにおいて、集約リンクは、複数のリンクの数が識別可能な表示形態にて表示される。
【００２８】
複数のリンクが１本の集約リンクとして表されることにより、互いが重複しないように各リンクを折れ線等で描画するための処理や手間を不要とすることができる。一般的にこれらの処理や手間は煩雑である。
【００２９】
集約リンクが複数のリンクの数を識別可能な表示形態にて表示されることにより、リンクの本数を一目で判断することができる。
【００３０】
以上を纏めると、第１の実施形態によれば、ネットワークにおいて一対のノード間が複数のリンクで接続される場合、余計な処理や手間をかけることなく、リンクの数を一目で把握することが可能となる。
【００３１】
なお、以上説明した第１の実施形態において、「リンクの数が識別可能な表示形態」の例として、集約リンクにリンクの「数」を併記する形態を例に挙げたが、この形態はあくまで一例である。上記表示形態は、たとえば、集約リンクの線の「種類」や「色」を、リンクの数に対応させて異ならせる表示形態であってもよい。
【００３２】
また、以上の説明では、リンクが１本の場合の対応については特に記載していないが、たとえば、“１”を併記してもよいし、何も表示しないようにしてもよい。
【００３３】
また、以上の説明では、管理対象ネットワーク１２の構成が図１０のネットワーク模式図で表されるネットワーク構成と同一である場合を例に挙げたが、これはあくまで一例であって他のネットワーク構成でもよい。すなわち、ノード数および個別リンク数は、あくまで任意である。
【００３４】
また、第１の実施形態では、表示部２０をネットワーク管理装置１４の内部に設ける場合を例に挙げた。しかしながら、ネットワーク管理装置１４は、ネットワーク情報管理部２２と表示制御部２４とを少なくとも備えていればよく、表示部２０は、ネットワーク管理装置１４の外部に配置してもよい。
［第２の実施形態］
第２の実施形態と第１の実施形態との主たる違いは、ネットワーク模式図の表示仕様にある。
【００３５】
図５は、第２の実施形態におけるネットワーク模式図４０Ｂの一例である。ネットワーク模式図４０Ｂと第１の実施形態におけるネットワーク模式図４０Ａとを比較すると、複数のリンクが１本の集約リンクとして表され、さらに、複数のリンクの数が識別可能な表示形態にて表示される点は共通である。
【００３６】
ネットワーク模式図４０Ｂの特徴は、各集約リンクの色を、集約リンクを構成する個別リンクにて発生している障害の中で最も深刻な障害が識別可能な色で表示する点にある。たとえば、図５において、集約リンクＡＢは“赤”で表示され、集約リンクＣＤは“黄”で表示されている。これらの色の意味については後述する。
【００３７】
図６は、第２の実施形態におけるネットワーク情報３０Ｂの構造例を示す表である。ネットワーク情報３０Ｂにおいて、ノードと個別リンクと集約リンクに関しては、ネットワーク情報３０Ａと同一である。ネットワーク情報３０Ｂには、さらに、個別リンク毎の障害状況が定義されている。
【００３８】
図７は、第２の実施形態において利用される、障害深刻度定義テーブル５０の例である。障害深刻度定義テーブル５０は、個別リンクで発生しうる障害の、種類と深刻度と障害色とを関連付けるためのテーブルである。
【００３９】
本実施形態において、５種類の障害が定義されており、それぞれに異なる深刻度および障害色が設定されている。ここで、深刻度は、数値が高いほどより深刻な障害であることを示す。障害色は、集約リンクの表示色を定義するものである。
【００４０】
ネットワーク情報管理部２２は、ネットワーク情報３０Ｂにおいて、集約リンク毎に、個別リンク障害の中で最も深刻度が高い障害を選び出し、集約リンクワースト障害として定義する。たとえば、図６において、集約リンクＡＢに属する個別リンクの中で最も深刻度が高い障害は“認識不能”（個別リンクＡＢ４／深刻度＝８）であり、集約リンクＣＤに属する個別リンクの中で最も深刻度が高い障害は“重要警戒域”（個別リンクＣＤ２／深刻度＝２）である。
【００４１】
表示制御部２４は、ネットワーク情報３０Ｂに基づいて、管理対象ネットワーク１２の構成を視覚的に表すネットワーク模式図４０Ｂを表示部２０に表示する。具体的には、表示制御部２４は、障害深刻度定義テーブル５０を参照することで、集約リンクＡＢのワースト障害である“認識不能”を示す色が“赤”であることを認識する。表示制御部２４は、集約リンクＡＢを“赤”で表示する。さらに、表示制御部２４は、障害深刻度定義テーブル５０を参照することで、集約リンクＣＤのワースト障害である“重要警戒域”を示す色が“黄”であることを認識する。表示制御部２４は、集約リンクＣＤを“黄”で表示する。
【００４２】
以上説明した第２の実施形態によれば、第１の実施形態と同様に、ネットワークにおいて一対のノード間が複数のリンクで接続される場合、余計な処理や手間をかけることなく、リンクの数を一目で把握することが可能となる。
【００４３】
さらに、第２の実施形態の場合、各集約リンクの色を、集約リンクを構成する個別リンクにて発生している障害の中で最も深刻な障害が識別可能な色で表示している。これにより、ユーザは、各集約リンクにてどの程度深刻な障害が発生しているのかを一目で把握することが可能となる。
【００４４】
なお、集約リンクを選択すると当該集約リンクを構成する個別リンク毎の障害一覧（図６における“個別リンク障害”に相当）が表示される構成とすることもできる。これにより、個別リンク毎の障害を詳細に把握することが可能となる。
【００４５】
また、障害の種類、数、障害色はあくまで一例であって、上記の例に限定されない。
［第３の実施形態］
図８は、本発明の第３の実施形態に係るネットワーク管理装置１００の構成例を示すブロック図である。ネットワーク管理装置１００は、ＣＰＵ（Central Processing Unit）１０２と、メモリ１０４と、を備える。なお、第３の実施形態において、図１に示す表示部２０は、ネットワーク管理装置１００の外部に設けられているものとする。
【００４６】
メモリ１０４は、ネットワーク管理プログラム２００を記憶する。ネットワーク管理プログラム２００は、ＣＰＵ１０２によって実行される。メモリ１０４の例としては、非一時的な記憶手段、たとえば、ＲＯＭ（Read Only Memory）、ハードディスク、リムーバブルメディア、あるいはリムーバブルディスク等を挙げることができる。
【００４７】
図９は、ネットワーク管理プログラム２００の構成例を示すブロック図である。ネットワーク管理プログラム２００は、第１プログラム２０２と、第２プログラム２０４と、を備える。
【００４８】
第１プログラム２０２は、ノードと個別リンクとの対応関係を定義するネットワーク情報を管理するためのプログラムである。第１プログラム２０２は、図４のステップＳ２、Ｓ３の処理に対応する。
【００４９】
第２プログラム２０４は、ネットワーク情報に基づいて、ネットワーク構成を視覚的に表すネットワーク模式図を表示手段に表示し、所定の前記ノード間に複数の個別リンクが存在する場合、ネットワーク模式図上において、複数の個別リンクを１本の集約リンクとして表すとともに、集約リンクを複数の個別リンクの数が識別可能な表示形態にて表示するためのプログラムである。第２プログラム２０４は、図４のステップＳ１の処理に対応する。
【００５０】
以上説明した第３の実施形態によれば、第１の実施形態と同様に、ネットワークにおいて一対のノード間が複数のリンクで接続される場合、余計な処理や手間をかけることなく、リンクの数を一目で把握することが可能となる。
【符号の説明】
【００５１】
１０    ネットワークシステム
１２    管理対象ネットワーク
１４    ネットワーク管理装置
２０    表示部
２２    ネットワーク情報管理部
２４    表示制御部
３０Ａ、３０Ｂ    ネットワーク情報
４０Ａ、４０Ｂ    ネットワーク模式図
５０    障害深刻度定義テーブル
１００    ネットワーク管理装置
１０２    ＣＰＵ
１０４    メモリ
２００    ネットワーク管理プログラム
２０２    第１プログラム
２０４    第２プログラム
Ａ、Ｂ、Ｃ、Ｄ    ノード
ＡＢ１、ＡＢ２、ＡＢ３、ＡＢ４    個別リンク
ＣＤ１、ＣＤ２、ＣＤ３    個別リンク
ＡＢ、ＣＤ    集約リンク
【図１】
2014230025.tif 000003
【図２】
2014230025.tif 000004
【図３】
2014230025.tif 000005
【図４】
2014230025.tif 000006
【図５】
2014230025.tif 000007
【図６】
2014230025.tif 000008
【図７】
2014230025.tif 000009
【図８】
2014230025.tif 000010
【図９】
2014230025.tif 000011
【図１０】
2014230025.tif 000012